(57)【要約】      （修正有）【課題】より正確に現在位置が屋内あるいは屋外であることを判断できる電子機器、判断方法およびプログラムを提供する。【解決手段】周囲の温度を検出する温度検出部４と、日時または時刻を計時または取得する時計機能部２と、周囲の照度を検出する照度検出部３と、照度と温度のうちの少なくとも１つと、日時または時刻と、屋内かまたは屋外かを判断する判断基準とを関連付けたデータベースを有する記憶部６と、温度検出部４、時刻取得部２および照度検出部３から温度、時刻、照度を得て、データベースとを照合して屋内であるか屋外であるかを判断する制御部５と、を有している。【選択図】図１
2011027492.tif 000002
【特許請求の範囲】
【請求項１】
周囲の温度を検出する温度検出部と、
日時または時刻を計時または取得する時計機能部と、
周囲の照度を検出する照度検出部と、
照度と温度のうちの少なくとも１つと、日時または時刻と、屋内かまたは屋外かを判断する判断基準とを関連付けたデータベースを有する記憶部と、
上記温度検出部、上記時刻取得部および上記照度検出部から温度、時刻、照度を得て、上記データベースとを照合して屋内であるか屋外であるかを判断する制御部と、
を有することを特徴とする電子機器。
【請求項２】
請求項１に記載の電子機器であって、
前記データベースは、季節または月または月日と、時間帯とが、温度および照度と関連付けられていて、
季節または月または月日と、時間帯とによって、屋内か屋外かを判断する前記判断基準が異なる、
ことを特徴とする電子機器。
【請求項３】
請求項１または請求項２に記載の電子機器であって、
前記制御部は、屋内かまたは屋外であるのかを判断する判断基準として、温度閾値と照度閾値とを用いる、
ことを特徴とする電子機器。
【請求項４】
請求項１から３のいずれか１項に記載の電子機器であって、
前記制御部は、所定の時間以上、屋内の照度値よりも低い閾値である判定不能閾値を下回る照度値が得られた場合には、屋内であるか屋外であるかを判断しない、
ことを特徴とする電子機器。
【請求項５】
請求項１から４のいずれか１項に記載の電子機器であって、
現在の位置情報を取得可能な現在位置検出手段を備え、当該現在位置検出手段からの現在の位置情報が前記制御部に入力されると共に、
前記制御部は、上記現在位置検出手段からの位置情報が得られるか否かに応じて、屋内か屋外かを判断する処理か、または乗車可能な移動体内か屋外かを判断する処理のいずれかを行う、
ことを特徴とする電子機器。
【請求項６】
周囲の温度を検出する温度検出ステップと、
日時または時刻を計時または取得する時刻取得ステップと、
周囲の照度を検出する照度検出ステップと、
上記温度検出ステップ、上記時刻取得ステップおよび上記照度検出ステップで得られた温度、時刻、照度と、これらの情報から屋内か屋外かを判断すると共にデータベースに記憶されている判断基準とから、屋内であるか屋外であるかを判断する屋内外判断ステップと、
を有することを特徴とする判断方法。
【請求項７】
コンピュータにインストールされることにより、当該コンピュータを、請求項１から４のいずれか１項に記載の制御部として機能させることを特徴とするプログラム。
【発明の詳細な説明】
【技術分野】
【０００１】
本発明は、電子機器、判断方法およびプログラムに関する。
【背景技術】
【０００２】
従来より、現在位置が屋内かあるいは屋外かを判断するためには、人工衛星を利用した測位システムとしてＧＰＳ（Global Positioning System）が用いられている。ＧＰＳを利用すると、ＧＰＳ受信機の現在位置を算出できると共に、ＧＰＳ衛星に搭載されている高精度の原子時計にＧＰＳ受信機の時計を同期させることができる。そのため、ＧＰＳは、本来の位置算出用途の他に、時計の時刻補正の用途にも用いられている。
【０００３】
また、ＧＰＳだけではなく、紫外線センサにより得られる紫外線量、あるいは、照度センサにより得られる照度値も用いて昼夜の判断を行うことがある。
【先行技術文献】
【特許文献】
【０００４】
【特許文献１】特開２００７−０８０８２４（たとえば、請求項１等）
【発明の概要】
【発明が解決しようとする課題】
【０００５】
しかしながら、屋内やトンネル内など、ＧＰＳ受信機が人工衛星からの電波を受信できない環境では、紫外線センサと照度センサの２つで屋内屋外判断を行わなくてはならないが、現状の判断結果が不正確であるという問題がある。
【０００６】
特に、紫外線センサが測定する紫外線の大部分は、波長が４００〜３１５ｎｍのＵＶＡであり、ガラスを透過可能である。したがって、屋内であっても、窓際のような紫外線が入り込みやすい部位においては、屋外並みの紫外線量が測定されることがある。すなわち、紫外線センサと照度センサとだけで屋内屋外判断を行う場合には、その判断結果が不正確になる。
【０００７】
そこで、本発明は、より正確に現在位置が屋内あるいは屋外であることを判断できる電子機器、判断方法およびプログラムを提供することを目的とする。
【課題を解決するための手段】
【０００８】
上記課題を解決するために、本発明の電子機器の第１の側面は、周囲の温度を検出する温度検出部と、日時または時刻を計時または取得する時計機能部と、周囲の照度を検出する照度検出部と、照度と温度のうちの少なくとも１つと、日時または時刻と、屋内かまたは屋外かを判断する判断基準とを関連付けたデータベースを有する記憶部と、温度検出部、時刻取得部および照度検出部から温度、時刻、照度を得て、データベースとを照合して屋内であるか屋外であるかを判断する制御部と、を有するものである。
【０００９】
また、本発明の電子機器の他の側面は、上述の発明において、データベースは、季節または月または月日と、時間帯とが、温度および照度と関連付けられていて、季節または月または月日と、時間帯とによって、屋内か屋外かを判断する判断基準が異なることが好ましい。
【００１０】
さらに、本発明の電子機器の他の側面は、上述の発明において、制御部は、屋内かまたは屋外であるのかを判断する判断基準として、温度閾値と照度閾値とを用いることが好ましい。
【００１１】
また、本発明の電子機器の他の側面は、上述の発明において、制御部は、所定の時間以上、屋内の照度値よりも低い閾値である判定不能閾値を下回る照度値が得られた場合には、屋内であるか屋外であるかを判断しないことが好ましい。
【００１２】
さらに、本発明の電子機器の他の側面は、上述の発明において、現在の位置情報を取得可能な現在位置検出手段を備え、当該現在位置検出手段からの現在の位置情報が制御部に入力されると共に、制御部は、現在位置検出手段からの位置情報が得られるか否かに応じて、屋内か屋外かを判断する処理か、または乗車可能な移動体内か屋外かを判断する処理のいずれかを行うことが好ましい。
【００１３】
また、本発明の判断方法は、周囲の温度を検出する温度検出ステップと、日時または時刻を計時または取得する時刻取得ステップと、周囲の照度を検出する照度検出ステップと、温度検出ステップ、時刻取得ステップおよび照度検出ステップで得られた温度、時刻、照度と、これらの情報から屋内か屋外かを判断すると共にデータベースに記憶されている判断基準とから、屋内であるか屋外であるかを判断する屋内外判断ステップと、を有することが好ましい。
【００１４】
さらに、本発明のプログラムは、コンピュータにインストールされることにより、当該コンピュータを、上述の各発明に係る制御部として機能させることが好ましい。
【発明の効果】
【００１５】
本発明は、より正確に現在位置が屋内あるいは屋外であることを判断できる判断方法およびその方法を用いた装置を提供できる。
【図面の簡単な説明】
【００１６】
【図１】本発明の第１の実施の形態に係る電子機器の構成を示すブロック図である。
【図２】図１の電子機器の動作を説明するためのフローチャートである。
【図３】図１の電子機器が測定する照度値および温度値の変化の一例（冬季のもの）を示すグラフである。
【図４】図３の温度および照度値をテーブル化したものを示す図である。
【図５】図１の電子機器が測定する照度値および温度値の変化の別の一例（夏季のもの）を示すグラフである。
【図６】図５の温度および照度値をテーブル化したものを示す図である。
【図７】図１の電子機器が測定する照度値および温度値の変化の別の一例（窓際か屋外か）を示すグラフである。
【図８】図７の温度および照度値をテーブル化したものを示す図である。
【図９】図１の電子機器が屋内において測定する照度値および温度値と、天候の違いとの関係を示すグラフである。
【図１０】図９の温度および照度値をテーブル化したものを示す図である。
【図１１】図１の電子機器が屋外において測定する照度値および温度値と、天候の違いとの関係を示すグラフである。
【図１２】図１１の温度および照度値をテーブル化したものを示す図である。
【図１３】図１の電子機器が屋内と屋外（日陰）においてそれぞれ測定する照度値を示すグラフである。
【図１４】図１３の照度値をテーブル化したものを示す図である。
【図１５】図１の電子機器が屋内であるか屋外であるかの判断を行う場合の、例外的なケースにおける照度値と温度値とを示すグラフである。
【図１６】図１５の温度および照度値をテーブル化したものを示す図である。
【図１７】本発明の第２の実施の形態に係る電子機器の構成を示すブロック図である。
【図１８】本発明の第２の実施の形態に係る電子機器の動作を説明するためのフローチャートである。
【発明を実施するための形態】
【００１７】
（第１の実施の形態）
以下、本発明の一実施の形態に係る電子機器１について、図１〜図１６を参照しながら説明する。図１は、本発明の１実施の形態に係る電子機器１の構成を説明するブロック図である。
【００１８】
＜電子機器１の構成について＞
電子機器１は、移動体に取り付けられた装置である。電子機器１は、時計機能部２、照度検出部３、温度検出部４、制御部５および記憶部６を主な構成要素としている。時計機能部２、照度検出部３、温度検出部４および記憶部６は、制御部５にそれぞれ接続されている。
【００１９】
時計機能部２は、時刻取得部に対応し、日時または時刻を計時または取得する部分である。時計機能部２は、日時または時刻を計時または取得できるものであればどのようなものでもよい。たとえば、カレンダー機能を有する装置や、標準電波から時刻を取得して時計機能部２が計時する時刻を補正する機能を備える時計、あるいは、ＧＰＳ衛星から発信されている時刻情報を時刻として取得するＧＰＳ受信機等を備え、時計機能部２が計時する時刻を補正する機能を備えるもの等を採用できる。
【００２０】
照度検出部３は、明るさを光束の量により検出するデバイスである。照度検出部３としては、フォトトランジスタを使用したもの、フォトダイオードを使用したもの、およびフォトダイオードにアンプ回路を追加したもの等を用いることができる。電子装置１を使用している状態において、照度検出部３の受光面に光が当たる側に向くように配置されている。
【００２１】
温度検出部４は、温度を検出するデバイスである。温度検出部４は、たとえば、サーミスタで構成され、温度による半導体の特性の変化を利用して、温度検出部４の周囲の温度を検出できる。なお、温度検出部４としては、サーミスタ以外に、熱電対、半導体温度センサー、リニア抵抗器、白金測温抵抗体等を用いるようにしても良い。
【００２２】
制御部５は、各入力信号および出力信号の処理を行う。また、制御部５は、電子機器１の制御を行うＣＰＵ（Central Processing Unit）、ＲＡＭ（Random Access Memory）、およびＲＯＭ（Read Only Memory）等を備えていることが好ましい。ＲＡＭは、ＣＰＵからの制御指令に基づいて、情報を一時的に記憶する、あるいはＣＰＵのワークメモリとして使用される。ＲＯＭは、ＣＰＵが各部を制御するための制御プログラムおよび各定数が記憶されている。ＣＰＵは、ＲＯＭに記憶されている制御プログラムを読み出して、実行することにより作動する。
【００２３】
記憶部６は、各種情報、データまたはプログラム等のいずれか１つあるいは複数を記憶しておく部分であり、ＨＤＤ（Hard Disk Drive）、フラッシュメモリ等の読み書き可能な不揮発性メモリ、ＲＯＭおよびＲＡＭ等の中から１つあるいは複数を採用できる。記憶部６は、制御部５が各部を制御するための制御プログラムおよび各定数を記憶したり、各種デバイスとの通信情報を一時的に記憶したりできる。また、制御部５が判断するために、後述の屋内屋外を判断するための後述するような情報および後述する図２に示すような判断フローを実行するためのプログラムが格納されている。
【００２４】
また、記憶部６には、後述するような屋内・屋外を判断するための判断基準となるデータベースが記憶されている。この判断基準は、後述するように、温度閾値および／または照度閾値であり、それらが後述するような各種のバリエーションにて、時刻および／または日時等と関連付けられて、記憶されている。
【００２５】
＜屋内・屋外の判定をするための処理フローについて＞
次に、第１の実施の形態の電子機器１における、屋内・屋外の判定をするための処理フローについて説明する。図２は、屋内・屋外の判定を説明するためのフローチャートである。
【００２６】
まず、温度検出部４により温度を検出する（ステップＳ１０１；温度検出ステップ）。制御部５は、検出された温度の情報を記憶部６に記憶する。さらに、時計機能部２により、現在の日時を取得する（ステップＳ１０２；時刻取得ステップ）。制御部５は、取得された時刻の情報を記憶部６に記憶させる。また、照度検出部３により、照度値を取得する（ステップＳ１０３；照度検出ステップ）。制御部５は、検出された照度値の情報を記憶部６に記憶させる。なお、ステップＳ１０１〜Ｓ１０３は、同時あるいは順序が前後していてもよい。
【００２７】
次に、制御部５は、得られた日時、照度値および温度と、データベースの内容を照合する（Ｓ１０４）。なお、このＳ１０４における判定の基準（データベースの内容）については、後述する。続いて、Ｓ１０４において、判定結果が得られたか否かを判断する（ステップＳ１０５）。判定結果が得られた場合、すなわちステップＳ１０５においてＹｅｓの場合には、その判定結果が屋内であるか否かを判断する（ステップＳ１０６；屋内外判断ステップ）。一方、ステップＳ１０４において判定結果が得られなかった場合、すなわちステップＳ１０５において「Ｎｏ」の場合には、制御部５は、屋内であるか屋外であるかの判定ができなかった（未確定；Ｓ１０７）と決定して終了する。
【００２８】
なお、ステップＳ１０６において、屋内であると決定されると（Ｓ１０８）、その旨の情報が記憶部６へ書き込まれ、また、屋内である場合の制御部５での特有の処理が為され、図２の処理フローが終了する。一方、ステップＳ１０６において、屋外であると決定されると（Ｓ１０９）、その旨の情報が記憶部６へ書き込まれ、また、屋外である場合の制御部５での特有の処理が為され、図２の処理フローが終了する。
【００２９】
＜屋内／屋外の判定の基準について＞
次に、ステップＳ１０４の判定の基準について図３〜図８を参照して説明する。図３は、１２月１日に、電子機器１が時刻、照度および温度を取得した場合に、その時刻と、照度値および温度との関係を示すグラフである。
【００３０】
図３のＡで示す領域、およびＣで示す領域は、朝の９時から夕方の１７時までの日中時間帯のうちの一部であるが、その中で温度は、所定の温度よりも低いが、その照度値は、ある所定の照度値よりも高い状態となっている。領域Ａおよび領域Ｃのような状態が検出される場合、屋外と判断するものとする。なぜなら、朝の９時から夕方の１７時までの間は、日照時間であるため、屋外では、照度値が大きい。一方、１２月１日のような冬季においては、室内は暖房を使用するため、屋外よりも暖かい。また、室内の場合には、照度値は、ある所定の照度値よりも低い。そのため、図３のＢで示す領域Ｂの状態、および領域Ｄの状態が検出される場合、屋内と判断するものとする。
【００３１】
一方、夕方の１７時を過ぎた夜間時間帯では、照度値は大幅に低くなり、屋内と屋外とで大差がないことが多い。この場合には、温度に基づいてのみ、判断される。すなわち、図３のＥで示す領域は、所定の温度よりも高いため、そのような状態が検出されると、屋内であると判断する。一方、図３のＦで示す領域は、所定の温度よりも低いため、そのような状態が検出されると、屋外であると判断する。
【００３２】
以上のような判断を行うためには、たとえば、電子機器１が使用される地域を設定し、その使用される地域に適した温度閾値および照度閾値を用いるようにすることが好ましい。すなわち、そのような温度閾値および照度閾値に関するデータベースが、記憶部６に存在する構成とすることが好ましい。ここで、冬季用の照度閾値、冬季用の温度閾値を、それぞれの時間毎に設け、これらの照度閾値と温度閾値とを用いて判定するようにすれば良い。また、照度閾値は、日中時間帯のみ用いるようにして、夜間時間帯になると用いないようにすれば良い。しかしながら、夜間時間帯においても、照度閾値を用いるようにしても良い。たとえば、屋内では、夜においては、照明を用いるため、照度値は屋外よりも屋内の方が大きくなることが多い。そのため、夜間時間帯においては、照明を用いるときと用いないときとを識別するための照度閾値を用いて、屋内であるか屋外であるかの判定を行うようにしても良い。
【００３３】
また、冬季の場合であって、電子機器１が使用される地域が東京である場合には、屋外において所定の温度閾値を上回ることはほとんど考えられない。そのため、たとえば、所定の温度閾値を上回る一方、所定の照度閾値をも上回る場合には、所定の温度閾値のみに基づいて判断を行い、屋内であると判定しても良い。なお、夏季の場合においても、所定の温度閾値を下回る一方、所定の照度閾値をも上回る場合には、所定の温度閾値のみに基づいて判断を行い、屋内であると判定しても良い。
【００３４】
また、温度閾値および／または照度閾値は、冬季用等の季節ごととはせずに、月ごと、週ごと、日にちごと、または１０日ごと等のように、所定の日数ごとに、異なるものとしても良い。
【００３５】
なお、図３には、温度閾値の一例と、照度閾値の一例が図示されている。ここで、図３においては、温度閾値と照度閾値が直線的なものが示されている。しかしながら、各時間ごとに屋外の温度は、変化する。また、各時間ごとに屋外の照度値も変化する。そのため、記憶部６に記憶されているデータベースの温度閾値と、照度閾値とは、直線的なものとはせずに、時間によって随時変化するものとしても良い。また、当該電子機器１がＧＰＳ受信機を備える場合には、電子機器１が使用される地域の設定は、当該電子機器１のＧＰＳ受信機が最後に人工衛星からの電波を受信した際に算出した位置情報に基づく地域としても良い。
【００３６】
また、記憶部６には、図４のような、各時間ごとの照度値と温度とが記憶させられる。そして、この照度値と温度とから、制御部５は、屋外であるか、屋内であるかの判定を行う。
【００３７】
続いて、他の判断の例について述べる。図５は、たとえば８月１日に、電子機器１が時刻、照度および温度を取得した場合に、その時刻と、照度値および温度との関係を示すグラフである。また、図６は、図５の温度および照度値を、テーブル化したものである。
【００３８】
図５のＢで示す領域、およびＤで示す領域は、朝の９時から夕方の１８時までの日中時間帯のうちの一部であるが、それらの領域における温度は所定の温度（温度閾値）よりも高く、かつそれらの領域における照度値は、ある所定の照度値（照度閾値）よりも高い状態となっている。領域Ｂおよび領域Ｄのような状態が検出される場合、屋外と判断するものとする。なぜなら、８月１日のような夏季においては、屋内では冷房を使用するため、屋外の方が屋内よりも温度が高い。一方、朝の９時から夕方の１８時までの間は、日照時間であるため、屋外では、照度値が大きい。すなわち、領域Ｂと領域Ｄでは、図５の温度閾値および照度閾値を上回っているため、屋外であると判断される。
【００３９】
また、図５のＡで示す領域、およびＣで示す領域は、朝の９時から夕方の１８時までの日中時間帯のうちの一部であるが、それらの領域における温度は、所定の温度（温度閾値）よりも低く、かつそれらの領域における照度値は、所定の照度値（照度閾値）よりも低い状態となっている。領域Ａおよび領域Ｃのような状態が検出される場合、屋内と判断するものとする。なぜなら、８月１日のような夏季においては、屋内は、冷房を使用するため、屋外よりも温度が低くなる。一方、朝の９時から夕方の１８時までの間は、日照時間であるため、屋外では照度値が大きくなるが、屋内では照度値が小さくなる。すなわち、領域Ａと領域Ｃでは、図５の温度閾値および照度閾値を下回っているため、屋内であると判断される。
【００４０】
一方、夕方の１８時を過ぎると、照度値は大幅に低くなり、屋内と屋外とで大差がないことが多い。この場合には、温度に基づいてのみ、判断される。すなわち、図５のＥで示す領域は、所定の温度（温度閾値）よりも低いため、そのような状態が検出されると、屋内であると判断する。一方、図３のＦで示す領域は、所定の温度（温度閾値）よりも高いため、そのような状態が検出されると、屋外であると判断する。
【００４１】
また、記憶部６には、図６のような、各時間ごとの照度値と温度とが記憶させられる。そして、この照度値と温度とから、制御部５は、屋外であるか、屋内であるかの判定を行う。
【００４２】
以上のような判断を行うための、温度閾値および照度閾値についての考え方は、上述の冬季の場合において述べたものと同様であり、その詳細についての説明は省略する。
【００４３】
続いて、屋内の窓際と、屋外とを判断する手法について述べる。図７は、たとえば８月１日に、電子機器１が屋内の窓際と屋外とで時刻、照度および温度を取得した場合に、その時刻と、照度値および温度との関係を示すグラフである。また、図８は、図７の温度および照度値を、テーブル化したものである。
【００４４】
屋内の窓際と屋外とでは、照度値は、ほぼ同様になる。そのため、照度閾値に基づいて、屋内であるか、または屋外であるかを判断することは困難である。そこで、ある時間帯における温度がどれぐらいであるかによって、屋内の窓際と屋外とを判別する。
【００４５】
図７のＡで示す領域、Ｃで示す領域、およびＥで示す領域は、いずれも日中時間帯のうちの一部であるが、それらの領域における温度は、所定の温度（温度閾値）よりも低い状態となっている。８月１日のような夏季においては、屋内は、冷房を使用するため、屋外よりも温度が低くなる。すなわち、領域Ａ、領域Ｃおよび領域Ｅでは、図７の温度閾値を下回っているため、屋内であると判断される。
【００４６】
また、図７のＢで示す領域、およびＤで示す領域は、いずれも日中時間帯のうちの一部であるが、それらの領域における温度は所定の温度（温度閾値）よりも高い状態となっている。８月１日のような夏季においては、屋内では冷房を使用するため、屋外の方が屋内よりも温度が高い。すなわち、領域Ｂと領域Ｄでは、図７の温度閾値を上回っているため、屋外であると判断される。
【００４７】
また、記憶部６には、図８のような、各時間ごとの照度値と温度とが記憶させられる。そして、この照度値と温度とから、制御部５は、屋外であるか、屋内であるかの判定を行う。
【００４８】
以上のような判断を行うための、温度閾値および照度閾値についての考え方は、上述の冬季の場合において述べたものと同様であり、その詳細についての説明は省略する。
【００４９】
＜天候の違いによる照度値の差について＞
続いて、天候の違いによって、照度値にどの程度の差が生じるのかについて、図９から図１４に基づいて説明する。なお、これらの照度値の差に基づいて、照度閾値が決定される。
【００５０】
図９は、屋内において１１月の日中に照度検出部３を用いてそれぞれの天候における照度値の取得を行い、その照度値の平均値を表したグラフである。また、図１０は、図９の照度値を、テーブル化したものである。図９および図１０から分かるように、屋内においては、天候の相違によって照度値が８６０Ｌｕｘ〜９００Ｌｕｘとなっており、天候によっては、照度値にそれほど大きな相違は見られない。
【００５１】
図１１は、屋外において１１月の日中に照度検出部３を用いてそれぞれの天候における照度値の取得を行い、その照度値の平均値を表したグラフである。また、図１２は、図１１の照度値を、テーブル化したものである。図１１および図１２から分かるように、屋外においては、天候の相違によって照度値が６０００Ｌｕｘ〜５４６１３Ｌｕｘとなっており、天候によって、照度値が大きく変化している。
【００５２】
なお、図１１および図１２の結果から明らかなように、屋外においては、最も照度値が小さい（６０００Ｌｕｘである）場合であっても、図９および図１０に示したような、屋内における照度値とは大きな差が生じている。そのため、照度閾値としては、９００Ｌｕｘ〜６０００Ｌｕｘの間の値とすることが望ましい。その中でも、照度値の誤差分を考慮して、１０００〜５０００Ｌｕｘの間の値とすることがより望ましいが、特に２０００Ｌｕｘ〜３０００Ｌｕｘの範囲が、さらに一層望ましくなっている。
【００５３】
図１３は、屋内と屋外（日陰）において１１月の日中に照度検出部３を用いてそれぞれの天候における照度値の取得を行い、その照度値の平均値を表したグラフである。また、図１４は、図１３の照度値を、テーブル化したものである。
【００５４】
図１３および図１４においては、屋内の照度値は９００Ｌｕｘであり、屋外の日陰における照度値は７９１７Ｌｕｘである。そのため、屋内の照度値と屋外の日陰における照度値との間には大きな差が生じている。なお、照度閾値としては、上述の図１１および図１２の部分で述べたものと同様の照度閾値を用いることが可能である。
【００５５】
＜例外的な場合＞
続いて、電子機器１において、屋内であるか屋外であるかの判断を行う場合の、例外的なケースについて説明する。図１５は、例外的な場合における時間と、温度および照度値の変化を示すグラフであり、図１６は、図１５の場合をテーブル化したものである。
【００５６】
上述の図１５および図１６から明らかなように、このケースでは、照度値が、図９および図１０に示した屋内の場合よりも、圧倒的に低くなっている。このような照度値が得られるものとしては、たとえば、バッグの中に電子機器１を入れている状態、部屋を真っ暗にしている状態、または屋外でかつ夜の状態等が挙げられる。このような例外的なケースでは、電子機器１の制御部５は、現在の環境が屋内であるのか、または屋外であるのかについて、正確な判断を行うことができない。この場合には、屋内であるのか、または屋外であるのかについて、判断を行わないようにする。または、図２の処理フローのステップＳ１０５において結果が得られないものとして「Ｎｏ」と判定し、ステップＳ１０７で屋内であるか屋外であるかの判定ができなかった（未確定）と決定して処理を終了するようにしても良い。
【００５７】
なお、この場合には、屋内に対応する場合よりも照度値が十分低い、判定不能照度閾値を用いて、未確定であると決定するようにしても良い。
【００５８】
＜本実施の形態における効果＞
上述のように、日付、時刻、照度値および温度を関連付けたデータベースと、日付、時刻、照度値および温度の測定値とを対照することで、現在位置が屋内あるいは屋外であることを判断できる。すなわち、屋内やトンネル内など、ＧＰＳ受信機が人工衛星からの電波を受信できない環境においても、電子機器１が存在する環境が屋内であるか、または屋外であるかを判断することが可能となる。
【００５９】
加えて、電子機器１においては、時計機能部２と、照度検出部３と、温度検出部４とを用いて、制御部５において、記憶部６に記憶されているデータベースを照合して、電子機器１が屋内に存在するのか、または屋外に存在するのかを判断している。そのため、従来と比較して、その判断が正確なものとなる。
【００６０】
また、本実施の形態では、データベースは、季節または月または月日と、時間帯とによって、屋内か屋外かを判断する判断基準が異なっている。そのため、季節または月または月日がそれぞれ異なっていても、電子機器１が屋内に存在するのか、または屋外に存在するのかを正確に判断可能となる。
【００６１】
さらに、本実施の形態では、制御部５は、所定の時間以上、屋内の照度値よりも低い閾値である判定不能閾値を下回る照度値が得られた場合には、屋内であるか屋外であるかを判断しないこととしている。そのため、電子機器１の判断における誤りが発生するのを防止可能となる。なお、この場合には、ユーザが電子機器１に屋内であるか屋外であるかについての情報を入力するように設定することが可能である。
【００６２】
また、本実施の形態では、屋内の窓際と屋外とを判別することが可能となり、その判断も正確なものとなる。
【００６３】
（第２の実施の形態）
以下、本発明の第２の実施の形態に係る電子機器１０について、図１７および図１８を参照しながら説明する。なお、本実施の形態においては、上述の第１の実施の形態で用いたものと同様の構成については、同一の符号を用いて説明する。
【００６４】
図１７は、本発明の２実施の形態に係る電子機器１０の構成を説明するブロック図である。本実施の形態における電子機器１０は、基本的には第１の実施の形態における電子機器１０に対して、追加的な構成を有している。
＜電子機器１０の構成について＞
本実施の形態における電子機器１０は、ＧＰＳ受信機７を備えている点が、第１の実施の形態における電子機器１と相違している。ＧＰＳ受信機７は、複数のＧＰＳ衛星（不図示）からの電波を受信する。また、ＧＰＳ受信機７は、受信した電波に重畳されている時刻情報を抽出し、それぞれの電波の到達時間差から、ナビゲーション装置１を搭載した車両の現在の位置情報（例えば、緯度情報および経度情報）を検出する位置検出手段である。得られた位置情報は、制御部５に出力される。また、記憶部６には、図１８に示す処理フローを実行するためのプログラムが格納されている。
【００６５】
＜屋内・屋外の判定をするための処理フローについて＞
次に、第２の実施の形態の電子機器１０における、環境の判断をするための処理フローについて説明する。図１８は、環境の判断を説明するためのフローチャートである。なお、本実施の形態においては、屋内においては、ＧＰＳ受信機７が人工衛星からの電波を受信できないものとして説明している。また、図１８においては、現在の位置情報からは屋外と判断される場合においても、電車内または自動車内等の移動体内という、屋外とは異なる環境に電子機器１が存在しているのか否かを判定することを可能としている。
【００６６】
図１８に示す処理フローにおいては、図２に示す処理フローと比較すると、当該図２のステップＳ１０１よりも上位の判断を行うステップ（ステップＳ１００）が存在している。このステップＳ１００では、ＧＰＳ受信機７が、電波を受信して現在の位置情報を検出することが可能であるか否かを判断する。このステップＳ１００の判断において、現在の位置情報を検出可能であると判断される場合（Ｙｅｓの場合）には、ステップＳ２０１に進行し、以後、ステップＳ２０１からステップＳ２０９までの各ステップを実行する。また、ステップＳ１００の判断において、現在の位置情報を検出することができないと判断される場合（Ｎｏの場合）には、上述したステップＳ１０１に進行し、図２で説明したのと同様の各ステップを実行する。
【００６７】
ステップＳ１００で現在の位置情報を検出可能であると判断される場合（Ｙｅｓの場合）、現在日時、現在位置、移動距離および移動速度に関する情報を取得する（ステップＳ２０１）。これは、ＧＰＳ受信機７で現在の位置情報と、その次の位置情報等と順次各時間ごとの位置情報を検出することにより、現在日時および現在位置のみならず、移動距離および移動速度をも検出することが可能となるためである。
【００６８】
ステップＳ２０１に続いて、ステップＳ１０１と同様に、温度検出部４により温度を検出する（ステップＳ２０２）。制御部５は、検出された温度の情報を記憶部６に記憶する。さらに、ステップＳ１０３と同様に、照度検出部３により、照度値を取得する（ステップＳ２０３）。制御部５は、検出された照度値の情報を記憶部６に記憶させる。なお、ステップＳ２０１〜Ｓ２０３は、同時あるいは順序が前後していてもよい。
【００６９】
次に、制御部５は、得られた現在の日時、現在位置、移動距離、移動速度、温度および照度値と、データベースの内容を照合する（Ｓ２０４）。この照合は、Ｓ１０４と同様のものであるが、現在位置、移動距離および移動速度も照合の要素に加わっている点が相違している。特に現在位置に基づいて照合すると、データベースが有する地図データベースおよび／または施設等に関するデータベースから、屋内にいるのか、屋外にいるのかの参考となる情報を得ることができる。また、移動距離および移動速度に基づいて照合すると、現在、電車または車にいるのか等の参考となる情報を得ることができる。
【００７０】
続いて、ステップＳ２０４において、判定結果が得られたか否かを判断する（ステップＳ２０５）。判定結果が得られた場合、すなわちステップＳ２０５においてＹｅｓの場合には、電子機器１０が存在する環境が、電車内または自動車内といった移動体内にあるのかを判断する（ステップＳ２０６）。一方、ステップＳ２０４において判定結果が得られなかった場合、すなわちステップＳ２０５において「Ｎｏ」の場合には、制御部５は、電子機器１０が存在する環境が、屋外なのか、移動体内であるのかの判定ができなかった（未確定；Ｓ２０７）と決定して終了する。
【００７１】
なお、ステップＳ２０６において、移動体内であると決定されると（Ｓ２０８）、その旨の情報が記憶部６へ書き込まれ、また、移動体内である場合の制御部５での特有の処理が為され、図２の処理フローが終了する。一方、ステップＳ２０６において、屋外であると決定されると（Ｓ２０９）、その旨の情報が記憶部６へ書き込まれ、また、屋外である場合の制御部５での特有の処理が為され、図１８の処理フローが終了する。なお、図１８に示す環境判断の処理フローは、一定時間ごとに行うようにすることが好ましい。
【００７２】
＜本実施の形態における効果＞
以上、本実施の形態における電子機器１０によれば、ＧＰＳ受信機７を備え、このＧＰＳ受信機７が人工衛星から電波を受信することにより、現在の位置情報を得ることが可能となる。そして、ＧＰＳ受信機７で現在の位置情報と、その次の位置情報等と順次各時間ごとの位置情報を検出することにより、現在日時および現在位置のみならず、移動距離および移動速度をも検出されるため、現在位置、移動距離および移動速度に基づけば、電子機器１０が移動体内に存在するのか、または屋外に存在するのかを判断することが可能となる。
【００７３】
すなわち、本実施の形態における電子機器１０は、現在の位置情報からは通常は屋外と判断される場合においても、電車内または自動車内等の移動体内という、屋外とは異なる環境に電子機器１０が存在しているのか否かを判断することが可能となる。そして、このような環境を判断することができた場合には、その環境に応じた端末の設定を自動的に行うことが可能となる。
【００７４】
＜変形例について＞
以上、本発明の各実施の形態について述べたが、本発明は、これらの実施の形態に限定されることなく、種々変形して実施することが可能である。
【００７５】
上述の各実施の形態では、電子機器１，１０は、時計機能部２と、照度検出部３と、温度検出部４とを備える構成となっている。しかしながら、電子機器１，１０は、これら以外のセンサを備える構成を採用しても良い。これら以外のセンサとしては、たとえば、湿度を検出する湿度センサ、加速度を検出する加速度センサ等が挙げられる。また、マイクを具備する構成とし、このマイクから入力される音声信号の周波数および音声信号のレベルを制御部５が分析し、得られた周波数特性から屋内に電子機器１，１０が存在するのか、または屋外に存在するのかを判断するようにしても良い。
【００７６】
また、上述の各実施の形態における時計機能部２が時間を取得する手法としては、上述の他に、電子機器１，１０がインターネット等の無線または有線のネットワークに接続可能なものである場合、当該ネットワークを介して取得するようにしても良い。
【００７７】
また、上述した移動体には、電車、車以外にも、たとえば飛行機、船、オートバイ等の各種の移動可能なものが含まれる。
【００７８】
また、上述の各実施の形態では、温度閾値と照度閾値が直線的なものが示されている。しかしながら、各時間ごと、天候ごとに屋外および屋内の温度は、変化する。また、照度値も温度と同様に変化する。そのため、記憶部６に記憶されているデータベースの温度閾値と、照度閾値とは、直線的なものとはせずに、時間によって、および／または天候によって随時変化するものとしても良い。
【００７９】
また、上述の実施の形態では、制御部５は、記憶部６に記憶されているデータベースに存在する、温度閾値および照度閾値を用いて、電子機器１，１０が屋内または屋外に存在するのかを判断している。しかしながら、データベースに、屋内または屋外に存在するのかを判断するための所定の計算式を記憶させておき、この計算式に基づいて、屋内または屋外に存在するのかについて、判断を行うようにしても良い。
【００８０】
また、上述の各実施の形態において、電子機器１，１０がインターネットを介してお天気情報等、所定の天候情報（たとえば、現在の天候、気温等の情報）を得ることが可能な場合には、上述の各実施の形態で述べた手法に加えて、または上述の各実施の形態で述べた手法と選択的に、当該インターネットを介して得られる天候情報に基づいて、屋内・屋外の判断をできるようにしても良い。
【００８１】
また、上述の第２の実施の形態においては、屋内においては、ＧＰＳ受信機７が人工衛星からの電波を受信できないものとして説明している。しかしながら、屋内においても、ＧＰＳ受信機７が人工衛星からの電波を受信できるものとしても良い。
【００８２】
また、本発明の電子機器１，１０としては、公知の携帯可能な各種の電子機器が該当する。具体例としては、カーナビゲーション装置、携帯可能なオーディオ装置、電子メール送受信機能や、スカイプ（ＳＫＹＰＥ；登録商標）などのＩＰ電話機能を備えたＰＣやＰＤＡ、携帯電話、などが挙げられる。
【符号の説明】
【００８３】
１，１０…電子機器
２…時計機能部（時刻取得部に対応）
３…照度検出部
４…温度検出部
５…制御部
６…記憶部
７…ＧＰＳ受信機
【図１】
2011027492.tif 000003
【図２】
2011027492.tif 000004
【図３】
2011027492.tif 000005
【図４】
2011027492.tif 000006
【図５】
2011027492.tif 000007
【図６】
2011027492.tif 000008
【図７】
2011027492.tif 000009
【図８】
2011027492.tif 000010
【図９】
2011027492.tif 000011
【図１０】
2011027492.tif 000012
【図１１】
2011027492.tif 000013
【図１２】
2011027492.tif 000014
【図１３】
2011027492.tif 000015
【図１４】
2011027492.tif 000016
【図１５】
2011027492.tif 000017
【図１６】
2011027492.tif 000018
【図１７】
2011027492.tif 000019
【図１８】
2011027492.tif 000020